(57)【特許請求の範囲】
【請求項１】
電柱の上部に電気機器を設置するのに用いる電気機器の高所取付装置であって、
電柱の下部に着脱可能に取り付けられるウィンチと、
前記電柱の上部に着脱可能に取り付けられ、吊上げ滑車を有する吊上げ装置と、
前記電柱の上部に着脱可能に取り付けられるアーム支持装置と、
該アーム支持装置に着脱可能に取り付けられ、上部滑車を有する可動アーム装置と、
前記ウィンチと前記吊上げ装置の吊上げ滑車又は可動アーム装置の上部滑車を介して前記電柱の上部と地上を連絡するワイヤーとを備え、
前記アーム支持装置は上面が開口した支持筒を有し、前記可動アーム装置は、前記支持筒に中心軸を回転中心として回動可能に挿入される支柱、及び、該支柱から側方へ張り出すアームを有し、前記アームの先端部に前記上部滑車を設け、前記ワイヤーを前記吊上げ滑車に掛けて前記ウィンチで巻き上げることにより、前記アーム支持装置及び可動アーム装置を地上から電柱の上部へ吊り上げ可能であり、前記ワイヤーを前記上部滑車に掛けて前記ウィンチで巻き上げることにより、前記電気機器を地上から電柱の上部へ吊り上げ可能であることを特徴とする電気機器の高所取付装置。
【請求項２】
前記支持筒の底面中心部に逆円錐形の軸受凹部を形成し、前記支柱の底面中心部に逆円錐形の回転軸を設け、該回転軸を前記軸受凹部に回動自在に係合したことを特徴とする請求項１に記載された電気機器の高所取付装置。
【請求項３】
前記アームの長さが調節可能であることを特徴とする請求項１又は２に記載された電気機器の高所取付装置。
【請求項４】
前記吊上げ滑車及び上部滑車の外周面に臨んで、上部ワイヤー外れ防止蓋を開閉可能に設けたことを特徴とする請求項１〜３のいずれかに記載された電気機器の高所取付装置。
【請求項５】
前記電柱の中間部に着脱可能に取り付けられ、前記ワイヤーをガイドする中間滑車を備え、前記中間滑車の外周面に臨んで、中間部ワイヤー外れ防止蓋を開閉可能に設けたことを特徴とする請求項１〜４のいずれかに記載された電気機器の高所取付装置。
【発明の詳細な説明】
【技術分野】
【０００１】
本発明は、電柱の上部等の高所に高圧気中開閉器（ＰＡＳ）等の電気機器を設置するのに用いる電気機器の高所取付装置に関する。
【背景技術】
【０００２】
電柱の高さは約１０ｍ〜１２ｍあり、電柱の上部に電気機器を設置する作業には危険が伴う。特に、高圧気中開閉器（ＰＡＳ）の重量は６０ｋｇ程もあるので、人力で電柱の上部まで運び上げて設置するのは非常に難しい。
そこで、電柱の上部に電気機器を設置するには、通常、高所作業車を用いる。
例えば、特許文献１には、伸長可能なブームの先端部に連結されるサブアームと、サブアームに着脱可能に設けられる昇降部と、昇降部をサブアームに沿って昇降させるウィンチと、昇降部と連結可能で、設備機器を載置可能なリフト台とを備えた高所作業車が記載されている。
【０００３】
また、特許文献２には、電柱に固定する電柱取付用アームに開閉器とワンタッチ式バンドを組み付けておき、この電柱取付用アームの自由端を高所作業車のサブアームに装着したアームアダプターで把持し、サブアームを上昇させて、ワンタッチ式バンドを電柱に固定してから、電柱取付用アームの自由端をアームアダプターから引き抜いて取り外す架空配電線路の開閉器取付工法が開示されている。
しかし、高所作業車が進入できない場所や、高所作業車を安定して設置できない場所も多く、このような場所では上記従来の装置や工法を採用することができず、人力で設置作業を行なわざるを得なかった。
【先行技術文献】
【特許文献】
【０００４】
【特許文献１】特開２０１５−１９４８２号公報
【特許文献２】特開２００２−１９９５６７号公報
【発明の概要】
【発明が解決しようとする課題】
【０００５】
本発明が解決しようとする課題は、高所作業車を使用することなく、少ない作業者で重い電気機器を電柱の上部に安全に、且つ、容易に設置することができる電気機器の高所取付装置を提供することにある。
【課題を解決するための手段】
【０００６】
本発明は、電柱の上部に電気機器を設置するのに用いる電気機器の高所取付装置に関し、電柱の下部に着脱可能に取り付けられるウィンチと、前記電柱の上部に着脱可能に取り付けられ、吊上げ滑車を有する吊上げ装置と、前記電柱の上部に着脱可能に取り付けられるアーム支持装置と、該アーム支持装置に着脱可能に取り付けられ、上部滑車を有する可動アーム装置と、前記ウィンチと前記吊上げ装置の吊上げ滑車又は可動アーム装置の上部滑車を介して前記電柱の上部と地上を連絡するワイヤーとを備え、前記アーム支持装置は上面が開口した支持筒を有し、前記可動アーム装置は、前記支持筒に中心軸を回転中心として回動可能に挿入される支柱、及び、該支柱から側方へ張り出すアームを有し、前記アームの先端部に前記上部滑車を設け、前記ワイヤーを前記吊上げ滑車に掛けて前記ウィンチで巻き上げることにより、前記アーム支持装置及び可動アーム装置を地上から電柱の上部へ吊り上げ可能であり、前記ワイヤーを前記上部滑車に掛けて前記ウィンチで巻き上げることにより、前記電気機器を地上から電柱の上部へ吊り上げ可能である。
【０００７】
前記支持筒の底面中心部に逆円錐形の軸受凹部を形成し、前記支柱の底面中心部に逆円錐形の回転軸を設け、該回転軸を前記軸受凹部に回動自在に係合するとよい。
前記アームの長さを調節可能とするのが望ましい。
前記吊上げ滑車及び上部滑車の外周面に臨んで、上部ワイヤー外れ防止蓋を開閉可能に設けるとよい。
前記電柱の中間部に着脱可能に取り付けられ、前記ワイヤーをガイドする中間滑車を設け、前記中間滑車の外周面に臨んで、中間部ワイヤー外れ防止蓋を開閉可能に設けることが望ましい。
【発明の効果】
【０００８】
本発明によれば、軽量な吊上げ装置を電柱の上部に設置しておけば、この吊上げ装置とウィンチによってアーム支持装置及び可動アーム装置を電柱の上部へ吊り上げ、吊上げた可動アーム装置とウィンチを用いて重い電気機器を吊上げることができ、さらに、電気機器を設置した後は、吊上げ装置とウィンチを用いてアーム支持装置及び可動アーム装置を地上に降ろすことができるので、高所作業車を用いなくても、重い電気機器を簡単に電柱の上部に設置することが可能である。
また、電気機器を連結したワイヤーを支持する上部滑車は、電柱から離れた周囲を回転するので、可動アーム装置の取付位置に対して様々な方向へ張り出した腕金に電気機器を容易に、且つ、安全に取り付けることができる。
【０００９】
請求項２に係る発明によれば、可動アーム装置がスムーズに安定して回転する。
請求項３に係る発明によれば、電柱から張り出す異なる長さの腕金に電気機器を設置し易い。
請求項４に係る発明によれば、ワイヤーが不意に吊上げ滑車及び上部滑車から外れにくく、作業の安全性が高まる。
請求項５に係る発明によれば、中間滑車によってワイヤーを作業し易い安定した軌道に沿って移動させることができ、ワイヤーが中間滑車から外れることもない。
【図面の簡単な説明】
【００１０】
【図１】本発明の実施例に係る電柱の電気機器設置工程の第１段階における側面図である。
【図２】本発明の実施例に係る電柱の電気機器設置工程の第２段階における側面図である。
【図３】本発明の実施例に係る電柱の電気機器設置工程の第３段階における側面図である。
【図４】本発明の実施例に係る電柱の電気機器設置工程の第４段階における側面図である。
【図５】本発明の実施例に係る電柱の電気機器設置工程の第５段階における側面図である。
【図６】本発明の実施例に係るウィンチ、締め付けバンド及びウィンチ固定板の斜視図である。
【図７】本発明の実施例に係る吊上げ装置の側面図である。
【図８】本発明の実施例に係る吊上げ装置の平面図である。
【図９】本発明の実施例に係るアーム支持装置の側面図である。
【図１０】本発明の実施例に係る支持筒の断面図である。
【図１１】本発明の実施例に係る可動アーム装置の側面図である。
【図１２】本発明の実施例に係るアーム支持装置及び支持筒の一部を破断した側面図である。
【図１３】本発明の実施例に係る中間滑車の平面図である。
【図１４】本発明の他の実施例に係る締め付けバンド、補助枠及びウィンチ固定板の斜視図である。
【図１５】本発明の他の実施例に係る補助枠の斜視図である。
【発明を実施するための形態】
【００１１】
以下、本発明の実施例を図面に基づいて詳細に説明する。
この実施例は、図５に示すように、電柱Ａの上部に水平方向へ延びるよう設けた腕金Ｂに、高圧気中開閉器Ｃより成る電気機器を設置するのに用いる高所取付装置に関し、図４に示すように、ウィンチ１と、吊上げ装置２と、アーム支持装置３と、可動アーム装置４と、ワイヤー５と、中間滑車６とを備える。
【００１２】
ウィンチ１は、ワイヤー５を巻き付けるためのドラム７を有し、ドラム７に連結されたハンドル８を手で回すことによりワイヤー５の巻き取り・巻き戻しを行うものであり、２本の締め付けバンド９によって電柱Ａの下部に着脱可能に取り付けられる。
図６に示すように、締め付けバンド９には長手方向に適宜間隔をおいて多数のボルト挿通孔９ａが穿設され、締め付けバンド９の一端部外面にナット１０ａが固定されている。そして、いずれかのボルト挿通孔９ａに係止したフック付きボルト１０ｂをナット１０ａに螺合することにより、締め付けバンド９を所望の直径の円環状に形成することができる。また、２本の締め付けバンド９は、ウィンチ固定板１１の裏面上下端部に摺動可能に取り付けられ、ウィンチ固定板１１の表面にウィンチ１がボルトで固定される。
【００１３】
吊上げ装置２は、図７及び図８に示すように、縦管１２、縦管１２の上端部に設けられた吊上げ滑車１３、縦管１２の下部の上下に間隔をおいた位置からそれぞれ側方へ張り出した二つのブラケット１４、及び、ブラケット１４の先端部にそれぞれ取り付けられた締め付けバンド１５を備える。
縦管１２は、１５００ｍｍ〜１８００ｍｍ程度の高さを有する角パイプより成り、その両側面上端部に左右一対の平行な支持板１６を対向するよう突設し、支持板１６の間にそれぞれ吊上げ滑車１３を回転自在に架設してある。また、支持板１６の先端間には、吊上げ滑車１３の外周面に臨んで、上部ワイヤー外れ防止蓋１７を開閉可能に設けてある。
【００１４】
締め付けバンド１５は、一対の半円バンド１５ａを開閉可能に連結してなり、半円バンド１５ａの両端部にねじ込んだ締め付けネジ１８を締め込むことにより、締め付けバンド１５の直径を小さくできるようになっている。
そして、ブラケット１４を電柱Ａに当接し、締め付けバンド１５を電柱Ａの上部外周囲に巻き付けることにより、吊上げ装置２は電柱Ａに、縦管１２が電柱Ａと平行に上方へ延びるよう着脱可能に取り付けられる。また、締め付けバンド１５と縦管１２との間にブラケット１４を介したことにより、縦管１２は、障害物を避けて電柱Ａからやや離れた位置に立設される。
【００１５】
アーム支持装置３は、図９に示すように、電柱Ａの上部に、電柱Ａと平行に取り付けられる断面円形の支持筒１９と、支持筒１９の上下部にそれぞれ取り付けられた締め付けバンド２０とから成る。
支持筒１９の長さは５００ｍｍ〜６００ｍｍであって、図１０に示すように、支持筒１９の上面は開口しており、支持筒１９の底面中心部には逆円錐形の軸受凹部２１が形成されている。
締め付けバンド２０は、吊上げ装置２の締め付けバンド１５と同様の構造を有し、同じ構造の固定用バンド２２によって支持筒１９の外周に取り付けられている。そして、締め付けバンド２０を電柱Ａの上部外周囲に巻き付けることにより、アーム支持装置３は電柱の上部に着脱可能に取り付けられる。
【００１６】
可動アーム装置４は、図１１に示すように、支柱２３、アーム２４、上部滑車２５、及び、ガイド滑車２６を備える。
支柱２３は、長さが１２００ｍｍ〜１４００ｍｍで、アーム支持装置３の支持筒１９の内径よりやや小さい外径を有する断面円形のパイプより成り、支持筒１９に中心軸を回転中心として回動可能に挿入される。また、支持筒１９の上端部及び下端部に相当する位置において、支柱２３の外周面には回転用リング２８が固定されている。回転用リング２８の外径は支持筒１９の内径より僅かに小さく形成される。
また、支柱２３の底面中心部には逆円錐形の回転軸２７が設けられ、この回転軸２７が支持筒１９の軸受凹部２１に回動自在に係合される（図１２）。
このように、支柱２３の外周面に回転用リング２８を固定し、支柱２３の回転軸２７を支持筒１９の軸受凹部２１に係合したことによって、支柱２３が支持筒１９内で大きな抵抗を受けることなく、しかも、ガタつかずにスムーズに回転する。
【００１７】
アーム２４は、支柱２３の上部から側方へ張り出した外パイプ２９と、外パイプ２９の先端面から内部に摺動・固定自在に嵌合された内パイプ３０とから成り、内パイプ３０を摺動させることにより６５０ｍｍ〜８５０ｍｍの範囲で長さを調節することができる。
支柱２３と外パイプ２９の接合角部はコーナー補強板３４で補強する。
内パイプ３０の先端部上面には、２枚の平行な支持板１６’を対向して立設し、支持板１６’の間に上部滑車２５を回転自在に架設してある。また、支持板１６’の上端間には、上部滑車２５の外周面に臨んで、上部ワイヤー外れ防止蓋１７’が開閉可能に設けられる。
ガイド滑車２６は、支柱２３の上端面、及び、支柱２３の上部において、アーム２４の張り出し方向と逆側の側面にそれぞれ設置される。ガイド滑車２６の取付構造は、上部滑車２５及び吊上げ滑車１３の取付構造と同じである。
【００１８】
図１３に示すように、中間滑車６は、電柱Ａの中間部に着脱可能に取り付けるための締め付けバンド３１を備える。締め付けバンド３１は、ウィンチ１を取り付けるための締め付けバンド９と同様の構造を有し、固定枠３２の裏面に設けられる。
固定枠３２の表面には左右一対の支持板１６”が対向して突設され、支持板１６”の間に中間滑車６が回転自在に架設される。また、支持板１６”の先端間には、中間滑車６の外周面に臨んで、中間部ワイヤー外れ防止蓋１７”が開閉可能に設けられる。なお、固定枠３２及び支持板１６”の奥行寸法は、中間滑車６が障害物を避けて電柱Ａから離れた位置に配置されるように、それぞれ７０〜１００ｍｍ，９０〜１００ｍｍとするのが望ましい。
ウィンチ１に巻き付けられたワイヤー５は、図２及び図４に示すように、上方に延びて中間滑車６に係合し、さらに上方に延びて、吊上げ装置２の吊上げ滑車１３、又は、可動アーム装置４のガイド滑車２６及び上部滑車２５に係合してから下方に延びて、電柱Ａの上部と地上を連絡する。
【００１９】
以下に、この高所取付装置を用いて高圧気中開閉器Ｃを電柱Ａの腕金Ｂに設置する手順について説明する。
まず、図１に示すように、電柱Ａの下部にウィンチ１を取り付け、電柱Ａの中間部においてウィンチ１と同じ側に中間滑車６を取り付け、電柱Ａの上部に吊上げ装置２を設置する。そして、ウィンチ１に巻き付けたワイヤー５を、中間滑車６の外側面を通して吊上げ装置２の両側の吊上げ滑車１３に上方から架け渡し、さらに地上に向かって延ばす。このようにワイヤー５を上方から吊上げ滑車１３に架け廻すことにより、ワイヤー５の廻り幅を広くし、ワイヤー５が障害物に当たらないようにする。
なお、ウィンチ１は、ワイヤー５による吊上げ作業中に万が一落下事故が発生しても、ウィンチ１を操作する作業員に危険が及ばないように、電柱Ａの吊上げ側と逆側に取り付ける。
また、吊上げ装置２は、作業員が電柱Ａの上まで運び上げ、縦管１２が電柱Ａの上端よりも上方へ延びるように取り付ける。
【００２０】
次に、ワイヤー６の先端にアーム支持装置３を連結してウィンチ１のハンドル８を操作し、図２に示すように、アーム支持装置３を電柱Ａの上部に吊り上げて取り付ける。
次いで、再度、ワイヤー６を巻き戻し、地上でワイヤー６の先端に可動アーム装置４を連結し、図３に示すように、可動アーム装置４を電柱Ａの上部に吊り上げてアーム支持装置３に嵌め込む。可動アーム装置４のアーム２４の長さは、高圧気中開閉器Ｃを設置しようとする腕金Ｂの長さ等に応じて予め調節しておく。
【００２１】
その後、図４に示すように、ワイヤー６を吊上げ滑車１３から外して、可動アーム装置４のガイド滑車２６及び上部滑車２５に順次架け渡す。この場合も、ワイヤー５は上方からガイド滑車２６及び上部滑車２５に架け廻す。そして、巻き戻したワイヤー６の先端に高圧気中開閉器Ｃを連結して吊り上げる。
この時、可動アーム装置４を水平方向に回転させて、アーム２４の張り出し方向を腕金Ｂの位置に合わせて調整しておく。
さらに、図５に示すように、電柱Ａの上部に吊上げた高圧気中開閉器Ｃを腕金Ｂに取り付ける。
【００２２】
高圧気中開閉器Ｃの設置が終了したら、再度、ワイヤー６を可動アーム装置４のガイド滑車２６及び上部滑車２５から吊上げ装置２の吊上げ滑車１３に掛け替えて、電柱Ａから外した可動アーム装置４とアーム支持装置３を順次地上へ吊り降ろす。
次いで、作業員が吊上げ装置２を電柱Ａから外して地上へ運びおろし、中間滑車６及びウィンチ１を電柱Ａから取り外す。
【００２３】
図１４に示すように、ウィンチ固定板１１’を断面溝形として、先端が電柱Ａに当接する脚板３３を裏面両側に設けると、電柱Ａの下部に立上電線管等の障害物が設けられている場合に、障害物を避けてウィンチ１を電柱Ａの外面から離れた位置へ取り付けることができる。
また、電柱Ａの下部の複数個所に障害物がある場合は、電柱Ａと締め付けバンド９との間に一つあるいは複数の補助枠３５を介在しても良い。
補助枠３５は、図１５に示すように、角筒体３６の外側面上下部にそれぞれバンド係止クリップ３７を設けて成る。角筒体３６は、ウィンチ固定板１１’とほぼ同じ上下寸法を有し、バンド係止クリップ３７は下方に向けて開口した断面逆Ｕ字状の金具である。
この補助枠３５を、障害物が設けられている部分に隣接して、電柱Ａと締め付けバンド９との間に配置し、角筒体３６の内側面を電柱Ａに当て付け、上下の締め付けバンド９をバンド係止クリップ３７に係止することにより、締め付けバンド９を電柱Ａから浮かした状態で締め付けることができる。
【００２４】
本発明の高所取付装置の具体的な構造は上記実施例に限定されない。
例えば、ウィンチ、中間滑車、吊上げ装置、或いは、アーム支持装置を電柱に取り付けるための締め付けバンドは、電柱の周囲を緩まないように締め付けるものであればよい。
また、可動アーム装置の上部滑車はアームの先端部下面に設置することもでき、この場合、ガイド滑車の位置も上部滑車の位置に合わせて適宜変更する。
なお、高所作業車を使用できる状況であれば、高所作業車のブームの先端に可動アーム装置４を設置すると共に、可動アーム装置４にウィンチ１を取り付ける。そして、ブームの先端と共に可動アーム装置４及びウィンチ１を上昇させ、高所作業車のバケットに乗った作業員が手動でウィンチ１を操作することにより、可動アーム装置４及びウィンチ１をそのまま利用して、高所作業車で高圧気中開閉器Ｃを吊り上げることができる。
【符号の説明】
【００２５】
Ａ    電柱
Ｂ    腕金
Ｃ    高圧気中開閉器（ＰＡＳ）
１    ウィンチ
２    吊上げ装置
３    アーム支持装置
４    可動アーム装置
５    ワイヤー
６    中間滑車
７    ドラム
８    ハンドル
９    締め付けバンド
９ａ  ボルト挿通孔
１０ａ  ナット
１０ｂ  フック付きボルト
１１，１１’  ウィンチ固定板
１２  縦管
１３  吊上げ滑車
１４  ブラケット
１５  締め付けバンド
１５ａ  半円バンド
１６，１６’，１６”  支持板
１７，１７’  上部ワイヤー外れ防止蓋
１７”  中間部ワイヤー外れ防止蓋
１８  締め付けネジ
１９  支持筒
２０  締め付けバンド
２１  軸受凹部
２２  固定用バンド
２３  支柱
２４  アーム
２５  上部滑車
２６  ガイド滑車
２７  回転軸
２８  固定用リング
２９  外パイプ
３０  内パイプ
３１  締め付けバンド
３２  固定枠
３３  脚板
３４  コーナー補強板
３５  補助枠
３６  角筒体
３７  バンド係止クリップ
【要約】
【課題】高所作業車を使用することなく、少ない作業者で重い電気機器を電柱の上部に安全に、且つ、容易に設置することができる電気機器の高所取付装置を提供すること。
【解決手段】電柱Ａの下部に取り付けられるウィンチ１と、それぞれ電柱Ａの上部に取り付けられる吊上げ装置２、アーム支持装置３及び可動アーム装置４と、ウィンチ１と吊上げ装置２の吊上げ滑車１３又は可動アーム装置４の上部滑車２５を介して電柱Ａの上部と地上を連絡するワイヤー５とを備え、アーム支持装置３は上面が開口した支持筒１９を有し、可動アーム装置４は、支持筒１９に中心軸を回転中心として回動可能に挿入される支柱２３、及び、支柱２３から側方へ張り出すアーム２４を有し、アーム２４の先端部に上部滑車２５を設ける。
【選択図】図５【図１】
0005822220.tif 000002
【図２】
0005822220.tif 000003
【図３】
0005822220.tif 000004
【図４】
0005822220.tif 000005
【図５】
0005822220.tif 000006
【図６】
0005822220.tif 000007
【図７】
0005822220.tif 000008
【図８】
0005822220.tif 000009
【図９】
0005822220.tif 000010
【図１０】
0005822220.tif 000011
【図１１】
0005822220.tif 000012
【図１２】
0005822220.tif 000013
【図１３】
0005822220.tif 000014
【図１４】
0005822220.tif 000015
【図１５】
0005822220.tif 000016